(57)【要約】      （修正有）【課題】我々は生活習慣上ためらう事なく「失礼トイレ」と言って排泄行為ができるが、屁に関しては恥ずかしい事でありマナーに反する事と思い込み会社や人前にてはつい我慢してしまう。出たい時好きな様に屁をしても臭いも無く音も出ない対屁衛生用品を提供する。【解決手段】臭いに関しては体調が良く腸内環境が良ければ臭わない。又デオドランドスプレーや消臭素材等にていくらでも対応出きる。問題は音だが腸管にたまったガスが放出する時に肛門の上皮が振動する事によるので肌にやさしい形状自在な吸音素材を出口直近に配する事で解決する。したがって吸音材としてグラスウールや真綿を用い竹炭やインド綿、ガーゼ地等にてお尻にやさしい複合素材にての屁対応衛生用具となる専用生地が出き、又、綿とカーゼ地にてピンポン玉形状の用具が出き消臭スプレーと固定するサポーターに綿にて誰でも屁対応衛生用具が作れた事でいつでも屁ができる。【選択図】図１
2019183359.tif 000002
【特許請求の範囲】
【請求項１】
おなら、屁が出たい時場所や時に係らず随意に放出しても臭いや音を消す為の素材構成及び形状構成。
【請求項２】
開発用具を固定する為のサポーター等の形状構成。
【発明の詳細な説明】
【技術分野】
【０００１】  おなら、放屁の事で時や場所等に係らず好きな時出したい時自由に放屁（以下屁）しても音も臭いもない消音、吸音、消臭素材及び素材形状に関する。
【背景技術】
【０００２】  寝たきりの人や幼児や女性の生理用品等は日々研究開発が継続化している、簡易トイレもしかりだが屁に関してはいまだ衛生用品が出ていない、食生活の改善とか投薬だが直ぐ効果が出る訳でわないし効果の程も定かでわない。
【発明が解決しようとする課題】
【０００３】  屁の因となる腸管ガスは大半が外気を吸い込み体内各所に酸素を供給した後終点の腸に溜まる、又１割程度のガスは食べ物の残渣が腸内細菌により分解される時に発生するガスも含むが９割程が腸管に吸収され肺に戻り二酸化炭素等の気体として体外に放出される、ただ問題なのは生活通念上の屁の立ち位置だ、かなり不当な扱い受けている、排泄物等は失礼トイレで済む、屁に関してはマナー違反、恥ずかしい事、若い女性にとっては恥の極みと思っている人は多い、本来腸管に吸収されなかったガスは肛門（多用に付以下出口）から放出し腸内環境の安定化につながるのだが人前にては屁は我慢するのが当り前という生活習慣が定着している事だ、健康面にて割りを食うのは若い女性やそうした人々であろう、
【０００４】  屁の１回の放出量や１日の回数は人それぞれ大きな差があるといわれ
2019183359.tif 000003
程度だと言われている、若い女性等、職場や外出先、会合等にてどうしても我慢してしまう人が多い、屁を我慢する習慣が身につくとたえず腸管が膨れ、又ストレスも溜まり腸内環境の悪化を招き当然ながら腸の蠕動運動を推進する免疫細胞である腸管マクロファージの活動も弱まり便秘症へと向かってしまう、さらに言えば膨らみ続ける事で腸管の変形を招き腹膜炎のリスクも上がる、統計学から見て若い女性の便秘率が高いのはそうした背景による事も確かだろう、なぜなら若い女性の食習慢は体型を保つ為炭水化物を控え食物繊維を多食する傾向が強く食物繊維は腸内の善玉菌わ好んでエサとして増える事で腸内環境は改善され安定化に通じる事になるはずだが屁を我慢する事は腸内環境を悪化させる事に通していると言っても過言とわいえない、どうしたらうっかりも含め屁をしたい時堂々と思い切り屁をしても音も無く臭いもしない気分すっきりストレスさようならとなる様な対屁用具が出来ないか研究模索した。
【課題を決解するための手段】
【０００５】  素材は全て軽量かつ形状自在な物でなければならない、又肌にも適した素材でまとめた、吸音、消音性の高いグラスウール、真綿、消臭性の高い顆粒状竹炭、形状安定化を図るためその外周をガーゼ地で包み込んだ、又、その外側に消臭地を当て縫い込んだ、丁度小さめのキッチンタオル状の複合生地材を出口の中心が中央となる様に尻下部に配しサポーター等にて固定した、これで賛同、協力者にての試着において意図した結果を得る事が出来た、元々屁は腸内環境が整っていれば無色無臭の気体であり逆の場合やストレスが加わると臭くなる。又音の原因だがガスが出口から外部に排出される時出口の上皮が振動することにより音となり空気伝導にて外部えと拡散する、当然出口のより近い処に遮蔽材が有れば音は小さい。
【発明の効果】
【０００６】  屁を出たい時我慢せず出す事は気分スッキリ、ストレスよさようならに通じ腸内環境は改善され腸内の免疫細胞のマクロファージや樹状細胞等が活性化される事で腸の蠕動運動が促進され便秘の改善に通じる、したがって腸内に大半存在する体内間の
2019183359.tif 000004
良し″との伝令が発せられる事で心身両面にての健康面にプラスとなり目に見える部分である肌皮の免疫細胞ランゲルハンス細胞が元気に活動する為吹出物やシミ、黒ずみ等が抑えられる効果につながり又脳内においては全体の５％程にて存在し活動する癒しの脳内ホルモンセロトニンの分泌を進め心に安らぎ感をもたらし又、眠くなると睡眠の良否に係るメラトニンに変り安眠に通じる事になる、当然うつ病等の心配は無用になる効果も合せ持つ。
【発明を実施するための最良の形熊】
【０００７】  吸音材としてグラスウールにした、ビルの耐火材としても用いられる繊毛状の素材で除湿性もあり容積の割に軽量で形状も自在である、又それを包み込む素材として真綿を用いた、肌に合う、又、消臭素材として顆粒状竹炭を配した、粉状だと素材や肌が黒づんでしまうから、又、形状を保つ為ガーゼ地で包み込み外側にインド綿を配した、今回はテスト試着の為木綿地にデオドラントスプレーを噴霧する事で消臭生地とした、ファイバーウール材は２０ｇ程度で良い圧すればそれなりの面積となる、中央部周辺に５ｇの竹炭を配し上下に真綿で被った、そして素材形状を保つ為ガーゼ地にて包み込んだ、最後に外側にスプレー処理したインド綿を配しミシン縫いが難かしいので手縫いにてポイトン縫いを施した、固定する為サポーター等を使用し実施した、尚当素材にて作り出した形状はアバウトでわあるが約１５ｃｍ正方、３ｍｍ圧程の対屁用具にでの２ヶ月程の着用に付賛同協力者は多くは集まらなかった、音と臭いは一日で分かる、意図する通りである、元々臭いに関して言えば食物繊維食品を日々適量食せば良い、いも、野菜、きのこ、海藻類を食べれば良い腸内の善玉菌が増える、又、肉や硫黄分の多いニラ、ニンニク等食するのも良い、ただ多食に注意である。問題は音である周囲の人々はそれで気づく。
【０００８】  あえて自分で試してみた、下着にて部屋内で思い切り力んで放屁した、小さいが音がしたがスボンを着用すれば大丈夫と思うし、又用具の中央部だけ綿を増やせば済む、ただ実用化にわ股にかかる為形状面、薄形化、肌へのフィット感、下着との一体化等々課題も多く製品化には時間がかかる、そこで誰でもが簡単に作れどの家庭にも有る素材にて形状を考案した、綿を丸めて素材が飛散しない様ガーゼ地で包み込む、糸も要らない、丁度ピンポン球状であるこれを尻部に挿入すると一部が尻内部に入り出口に密着する為音は発しにくくなる、又、綿は繊毛状に付き吸音性、通気性も有りガスも外部へと発散する、着用にあたり素材そのものに消臭スプレーを吹きつける、結果同様の効果を得た、当然使い捨て用具でありこれだと思い立ったその日から着用が可能でありぜひ始めてもらいたい事案である、元々古い友人であり今でも地域医療の最前線で活動している彼や同様の彼の複数の友人との会合の折自分の対屁用具の開発の主旨を伝えたところ皆さん全員が共感し賛同し特に試着希望者を集めて頂いたのはほとんど彼らのお陰でした。
【０００９】  望んだ人材は若い女性で会社勤めにて社内にて屁を我慢してしまい便秘ぎみの人が望みに付条件が厳しい事だったが先生方の御尽力にて２０代女性中心に３０代、４０代女性にも参加頂き正に先生方に感謝である、４８名による２ヶ月間の試着の感想文も届き今般の出願に至る、感想分の概略を申し添える、便通にては２週間目位より改善が見られ最終週にてはかなりの改善を実感したという、ただ３０代１名、４０台２名においてあまり改善を感じないという事も付記しておく、又、肌皮につい
2019183359.tif 000005
くなっている事が自覚できたという意見を多く頂いた、ただストレスに関してはかなり軽減されたという評加も多く頂いたのだが反面あまり変化が感じられないという意見も複数あった、これは対屁面にてのストレスからは解放されているのだが日々生きて行くと言う事は絶えず厄介事やトラブルに出合うものだ、そんな折それらに正面から向い合う強い心念を持つ努力は必要であり時には開き直る心の変化も必要である、尚、使い捨て用具に関してはパンテー等下着にても固定出来るが歩く等の行動によりズレたり左右に動くため腰回りを支柱にした中心部が十字、Ｙ字形状になるサポーター等による固定用具を作り提供した、結果として４８名中４５名の方々が今なお着用を続けている事を付記する、かようにうっかりも含む屁をしたい時随意にする事により心身両面にての健康効果ばかりか美肌の維持、促進効果にも通じる屁対応衛生用具転失気を提供する。
【図面の簡単な説明】
【００１０】
【図１】正方組合せ生地材の断面図
【図２】ピンポン球形状時の断面図
【図３】球状素材を固定するためのＹ字形状のサポーターの上部図
【符号の説明】
【００１１】１  ファイバーウール    ２  真綿    ３  顆粒状竹炭    ４  ガーゼ地
５  インド綿    ６  Ｙ字形状サポーター    ７  消臭噴霧剤
【図１】
2019183359.tif 000006
【図２】
2019183359.tif 000007
【図３】
2019183359.tif 000008